(57)【要約】【課題】通信相手を識別して最適な変調度で通信することで、干渉ノイズの影響が少ない高品質な通信が可能な無線通信装置を提供する。【解決手段】周波数の異なる多数のチャンネルの中からホッピングパターンに基づいて選択したチャンネルで通信する無線ネットワーク通信装置である親機２は、通信制御部１６を有し、通信制御部１６は、他の無線ネットワーク通信装置から変調度、または帯域幅を識別する識別情報を受信し、識別情報に応じた変調度、または帯域幅のホッピングパターンを格納したホッピングテーブル１７の内容に基づいて周波数ホッピングするとともに、識別情報に応じた変調度、または帯域幅で通信する。【選択図】図２
2005303765.tif 000002
【特許請求の範囲】
【請求項１】
周波数の異なる多数のチャンネルの中からホッピングパターンに基づいて選択したチャンネルで通信する通信制御部を有する無線通信装置において、
前記通信制御部は、他の無線通信装置から識別情報を受信し、前記識別情報に応じたホッピングパターンに基づいて周波数ホッピングするとともに、前記識別情報に応じた変調度で通信することを特徴とする無線通信装置。
【請求項２】
前記通信制御部は、前記識別情報に基づいた変調度に応じて、受信の際の帯域幅を変更することを特徴とする請求項１記載の無線通信装置。
【請求項３】
前記通信制御部は、前記識別情報に応じた変調度または帯域幅に基づいて前記ホッピングパターンのチャンネルの間隔を１以上空けることを特徴とする請求項１または２に記載の無線通信装置。
【請求項４】
ある変調度または帯域幅を使用する第１の通信規格に準じた通信機能のみを備えた無線通信装置と、この第１の通信規格に準じた通信機能の他に第１の通信規格とは異なる変調度または異なる帯域幅が規定された他のモードでの通信機能を備えた無線通信装置を含む無線ネットワークに接続可能な無線通信装置において、
周波数の異なる多数のチャンネルの中からホッピングパターンに基づいて選択したチャンネルで通信する通信制御部を備え、
前記通信制御部は、
最初は第１の通信規格で他の無線通信装置と通信を開始し、
当該他の無線通信装置から他のモードでの通信機能を有するか否かを識別可能な識別情報を受信し、
前記識別情報より他のモードでの通信機能を有することが判明した場合は、前記識別情報に応じた変調度または帯域幅のホッピングパターンに基づいて周波数ホッピングに切り替えて通信することを特徴とする無線通信装置。
【請求項５】
前記通信制御部は、最初はブルートゥースの規格に準拠した手順で通信し、パークモードへの遷移を要求する通知を他の無線通信装置へ行うに際し、前記遷移を要求する通知に含まれるビーコンの送出開始スロットの情報を、前記識別情報に応じて異なるスロットとすることを特徴とする請求項１から４のいずれかの項に記載の無線通信装置。
【請求項６】
前記通信制御部は、最初はブルートゥースの規格に準拠した手順で通信し、パークモードへの遷移を要求する通知を他の無線通信装置へ行うに際し、前記遷移を要求する通知に含まれるアクセスリクエストアドレスを、前記識別情報に応じて割り当てることを特徴とする請求項１から５のいずれかの項に記載の無線通信装置。
【請求項７】
前記識別情報は、ブルートゥースアドレスに含まれる企業個別の識別子であることを特徴とする請求項５または６に記載の無線通信装置。
【発明の詳細な説明】
【技術分野】
【０００１】
本発明は、周波数ホッピング型のスペクトル拡散方式で通信を行う無線通信装置に関する。
【背景技術】
【０００２】
近年、無線ネットワークはさまざまな規格が標準化され、さまざまな用途を持つ装置が同じ規格の無線ネットワークに接続されるようになってきている。
【０００３】
無線ネットワーク規格であるブルートゥース（Ｂｌｕｅｔｏｏｔｈ（商標））は、コンピュータのみならず、プリンタ、スキャナなどのコンピュータ周辺機器や、ファクシミリ装置、オーディオ装置、コードレス電話機などがブルートゥースの規格で接続することができる。
【０００４】
ブルートゥースは、ＩＳＭ（Industry Science Medical）バンドと呼ばれる、２．４０２ＧＨｚから２．４８０ＧＨｚまでの周波数帯域を使用している。ブルートゥースの通信方式は、このＩＳＭバンドを７９チャンネルの周波数帯域に分割し、そのチャンネルを６２５μｓごとにランダムに変えて通信を行う周波数ホッピング型のスペクトル拡散方式を採用している。
【０００５】
しかし、この周波数帯域は、電子レンジなどに使用されるマグネトロンが発生する電磁波の周波数と重複する帯域でもある。また同様な無線ネットワークの規格として、ＩＥＥＥ（Institute of Electrical and Electronic Engineers，米国電気電子学会）で制定された８０２．１１ａや８０２．１１ｂなどがあり、これらも同じＩＳＭバンドを使用している。
【０００６】
そのため、ブルートゥース規格で通信をしている無線通信装置の近くで、電子レンジを使用した場合や、同じＩＳＭバンドを使用する他の規格（８０２．１１ａ等）の通信が行なわれている場合には、干渉が生じたりノイズの影響にり、受信や送信が妨げられる。
【０００７】
なお、状況に応じて変調度を調節することは、例えば特許文献１に開示されている。特許文献１では、ハンドフリーで通話する際に送信側のマイクが口から離れて変調が浅くなり受信側が聞き取り難くなる事の対策として、相手局から自局送信波に対する受信情報の通知を受け、自局の送信レベルや変調度を自動的に制御する点が開示されている。また、高いトラヒックのエリアでは帯域幅を狭くし、低いトラヒツクのエリアでは帯域幅を広くすることにより周波数を有効に利用しつつ経済的にエリアを拡大できるようにしたものが特許文献２に開示されている。
【特許文献１】特開平５−２２１８６号公報
【特許文献２】特開昭６３−１６９８３４号公報
【発明の開示】
【発明が解決しようとする課題】
【０００８】
本発明は、ある変調度または帯域幅を使用する第１の通信規格に準じた通信機能のみを備えた無線通信装置と、この第１の通信規格に準じた通信機能の他に第１の通信規格とは異なる変調度または異なる帯域幅が規定された他のモードでの通信機能を備えた無線通信装置が混在する状況であっても、最適な変調度で通信することができ、干渉ノイズの影響が少ない高品質な通信が可能な無線通信装置を提供する。前記特許文献１に記載の無線送受信装置は、自局側から送出した送信波の受信状態の情報を通信データの一部として相手
局側から送って貰うことにより、自局側からの送信時にその情報を基に出力レベルや変調度とを自動制御するものであり、通信相手を識別してモードを変更するというものではない。そこで本発明は、通信相手を識別してモードを変更することにより、最適な変調度で通信することで、干渉ノイズの影響が少ない高品質な通信を可能にする。
【課題を解決するための手段】
【０００９】
本発明は、周波数の異なる多数のチャンネルの中からホッピングパターンに基づいて選択したチャンネルで通信する通信制御部を有する無線通信装置において、前記通信制御部は、他の無線通信装置から変調度、または帯域幅を識別するするための識別情報を受信し、自らはこの識別情報に応じた変調度、または帯域幅のホッピングパターンにに切り替えて通信を行うことを特徴とする。
【発明の効果】
【００１０】
本発明の無線通信装置は、他の無線通信装置から変調度、または帯域幅を識別するための識別情報を受信し、この識別情報に示された変調度、または帯域幅に応じたホッピングテーブルに基づいて周波数ホッピングしながら通信することにより、通信相手に応じた最適な変調度、帯域幅で通信することができる。よって干渉ノイズの影響が少ない高品質な無線通信装置とすることができる。
【発明を実施するための最良の形態】
【００１１】
上記課題を解決するためになされた第１の発明は、周波数の異なる多数のチャンネルの中からホッピングパターンに基づいて選択したチャンネルで通信する通信制御部を有する無線通信装置において、通信制御部は、他の無線通信装置から送られる識別情報を受信し、この識別情報に応じたホッピングパターンに基づいて周波数ホッピングするとともに、識別情報に応じた変調度で通信することを特徴としたものである。これにより、通信相手の無線通信装置に応じて可能な限り高い変調度、または広い帯域幅で通信することで、変調度を高めた帯域幅の広いチャンネルで通信を行うことができ、干渉ノイズに強い無線通信装置とすることができる。
【００１２】
上記課題を解決するためになされた第２の発明は、通信制御部は、識別情報に基づいた変調度に応じて、受信の際の帯域幅を変更するようにしたものである。
【００１３】
上記課題を解決するためになされた第３の発明は、通信制御部は、識別情報に応じた変調度または帯域幅に基づいてホッピングパターンのチャンネルの間隔を１以上空けることを特徴としたものである。
【００１４】
上記課題を解決するためになされた第４の発明は、通信制御部は、ブルートゥースの規格に準拠した手順で通信し、パークモードへの遷移を要求する通知を他の無線通信装置へ行うに際し、遷移を要求する通知に含まれるビーコンの送出開始スロットの情報を、識別情報に応じて異なるスロットとすることを特徴としたものである。すなわち、パークモードへ遷移を要求する通知であるLMP park reqパケットに含まれるビーコンの送出開始スロットの情報を、識別情報に応じて異なるスロットとすることで、異なる変調度、または異なる帯域幅を使用する独自モードで動作可能な無線通信装置に、それぞれ異なる変調度、または異なる帯域幅としたビーコンを送信することができる。
【００１５】
上記課題を解決するためになされた第５の発明は、通信制御部は、ブルートゥースの規格に準拠した手順で通信し、パークモードへの遷移を要求する通知を他の無線通信装置へ行うに際し、遷移を要求する通知に含まれるアクセスリクエストアドレスを、識別情報に応じて割り当てることを特徴としたものである。
【００１６】
ブルートゥースにおけるパークモードのアクセスウィンドウでは、スレーブ装置からマスタ装置に対してパケット送信するスロットを特定するために、それぞれのスレーブ装置にアクセスリクエストアドレス（ＡＲＲ＿ＡＤＤＲ）が割り当てられる。これは、パークモードへ遷移を要求する通知であるLMP park reqパケットにアクセスリクエストアドレスを含めてスレーブ装置に通知することで割り当てを行っている。
【００１７】
このアクセスリクエストアドレスを識別情報に応じて割り当てることで、アクセスウィンドウにおいて、異なる変調度、または異なる帯域幅を使用する独自モードで動作可能な無線通信装置に、それぞれ特定されたスロットを割り当てることができるので、異なる変調度、または帯域幅で通信することができる。
【００１８】
上記課題を解決するためになされた第６の発明は、識別情報は、ブルートゥースアドレスに含まれる企業個別の識別子であることを特徴としたものである。
【００１９】
識別情報を、ブルートゥースアドレスに含まれる企業個別の識別子としたことにより、高変調・広帯域のチャンネルで通信することができる無線通信装置か否かが容易に判定できる。この企業個別の識別子は、例えば、ＵＡＰ（Upper Address Part）およびＮＡＰ（Non-significant Address Part）が使用できる。
【００２０】
以下、図面に基づいて本発明の実施の形態について説明する。
【００２１】
まず、本発明の実施の形態に係る無線通信装置を用いた無線ネットワークシステムの構成を図１に基づいて説明する。
【００２２】
図１は、本発明の実施の形態に係る無線通信装置の一例であるコードレス電話機の親機が他の無線通信装置に無線ネットワークを介して接続している図である。
【００２３】
図１に示すように、ブルートゥースの仕様に準拠した無線ネットワークであるピコネット（Piconet）１には、コードレス電話機の親機２を中心として、子機３、ＰＤＡ（Personal Digital Assistant）４、通信機能を有するデジタルカメラ５が、電波を介して接続できる範囲内に存在している。
【００２４】
このピコネット１は、親機２がマスタ装置、その他の通信装置がスレーブ装置として通信している。また親機２は、有線で公衆回線網６に接続されており、公衆回線網６を介して通話相手と通信することができる。
【００２５】
図１に示す例では、デジタルカメラ５はブルートゥースに準拠した変調度・帯域幅を使用する通信機能のみを備えた無線通信装置であり、ブルートゥースの規格の範囲内でのみ動作可能とする。また子機３は、ブルートゥース規格よりも変調度を高く、または帯域幅の広いチャンネルを使用する独自モードで動作可能な無線通信装置であり、親機２と子機３は独自モードで動作可能であるとする。
【００２６】
次に、本発明の実施の形態に係る無線通信装置の構成を説明する。図２は、本発明の実施の形態に係る無線通信装置の一例としてコードレス電話機の親機２の構成を示す。図６は、ホッピングテーブルに格納されたデータの一例であり、（ａ）はブルートゥースの規格に準拠した無線通信装置のホッピングパターンを示す図、（ｂ）は高い変調度または広帯域高変調・広帯域のチャンネルを使用する独自モードで動作する場合のホッピングパターンを示す図である。図７は、識別テーブルに格納されたデータの一例を示す図である。
【００２７】
図２において、親機２は、アンテナ１０から受信した無線電波の復調や、アンテナ１０へ送信する無線電波の変調を行う無線部１１を有している。
【００２８】
この無線部１１は、ＩＳＭ（Industry Science Medical）バンドとよばれる２．４０２ＧＨｚから２．４８０ＧＨｚまでの周波数帯域を使用して、周波数変調方式（Frequency Shift Keying）や位相変調方式（Phase Shift Keying）によって送信データを変調し、および受信信号からデータを復調する。例えばブルートゥースに準拠したパケットを受信した場合、無線部１１は受信したパケットを同期相関器１２へ出力する。
【００２９】
同期相関器１２は、受信したパケットの先頭部分であるアクセスコードにより、親機２が接続する無線ネットワーク内のパケットであるか否かを判断する。また同期相関器１２は、アクセスコードにより受信したパケットが、親機２が接続する無線ネットワークのパケットであると判定すると、パケットを受信パケット解析部１３へ出力する。
【００３０】
受信パケット解析部１３は、パケットの中間部であるパケットヘッダを解析することで、無線ネットワーク内のそれぞれの通信装置との同期確立に使用される共通パケットや、音声データの同期通信に使用されるＳＣＯパケットや、データの送受信の非同期通信に使用されるＡＣＬパケットなどを判定する。
【００３１】
受信パケット解析部１３により受信したパケットが、音声データの受信であるＳＣＯパケットや、非同期通信に使用されるＡＣＬパケットと判定すると、受信パケット処理部１４へパケットが出力される。
【００３２】
受信パケット処理部１４は、ＳＣＯパケットの最終部であるペイロード内に格納されている音声データを分離して通信制御部１６へ通知する。また、受信パケット処理部１４は、ＡＣＬパケットの最終部であるペイロード内に格納されているデータを分離して、通信制御部１６へ通知する。
【００３３】
通信パケット作成部１５は、音声データや、同期確立のパケットの送出や、各種情報の通知を、他の無線通信装置へ送信する場合には、通信制御部１６が格納したデータを、通信パケット作成部１５によりパケットとして無線部１１から送信する。
【００３４】
通信制御部１６は、無線部１１、同期相関器１２、受信パケット解析部１３、受信パケット処理部１４と、通信パケット作成部１５を制御することで、ブルートゥースの規格に準拠した他の無線通信装置と送受信の制御を行う。
【００３５】
ブルートゥース規格では、発信元通信装置を識別するための識別情報としてブルートゥースアドレスが送信される。また通信装置を製造した企業を表わす個別の識別子はこのブルートゥースアドレスに含めて送信される。
【００３６】
ブルートゥースに準拠したパケットを受信した場合、受信側通信装置の通信制御部１６は、発信元通信装置の識別情報であるブルートゥースアドレスに含まれる企業個別の識別子（例えば、ＵＡＰおよびＮＡＰ）を受信し、その識別子を加えて識別テーブル１８を作成するとともに、ホッピングテーブル１７を作成する。図６にホッピングテーブル１７の一例を、また図７に識別テーブル１８の一例を示す。
【００３７】
またマスタ装置側の通信装置の通信制御部１６は、スレーブ装置側通信装置と通信する場合には、そのスレーブ装置側通信装置がブルートゥース規格に沿った変調度または帯域幅でした通信できないものであるのか、または高変調度・広帯域とした独自モードで通信可能なものであるかを識別テーブル１８に基づいて識別し、その結果に応じた変調度で通
信を行う。また、その際のホッピングパターンは、識別テーブル１８を参照してホッピングテーブル１７に基づいて行う。
【００３８】
ブルートゥースにおけるパークモードのビーコンスロットではマスタ装置からスレーブ装置に対し、ネットワークの同期を取る必要があるために、同報通信パケットであるビーコンを送信する。
【００３９】
また、通信制御部１６は、パークモードへ遷移を要求する通知であるLMP park reqパケットに含まれるビーコンの送出開始スロットの情報を、識別情報に応じて異なるスロットとしてスレーブ装置へ通知する。これにより独自モードで動作可能な無線通信装置に、それぞれ異なる変調度、または異なる帯域幅としたビーコンを送信することができ、独自モードの無線通信装置が混在する場合に、その変調度または帯域幅に応じたビーコンを送出し、干渉ノイズの影響を少なくすることができる。
【００４０】
また、通信制御部１６は、パークモードへ遷移を要求する通知であるLMP park reqパケットにアクセスリクエストアドレスを含めてスレーブ装置に通知しているが、その際に、アクセスリクエストアドレスを識別情報に応じて割り当てる機能を有している。これにより、異なる変調度、または異なる帯域幅を使用する独自モードで動作可能な無線通信装置（例えば子機３）に、それぞれ異なる変調度、または異なる帯域幅としたチャンネルをアクセスウィンドウで送信することができる。通信制御部１６が、ブルートゥースの規格外である高変調・広帯域高変調・広帯域チャンネルとして送信する場合には、この変調度・帯域幅を変えて送信するパケットの送信時に通信制御部１６がその旨を無線部１１へ通知することにより無線部１１が変調度・帯域幅を変更して送信する。
【００４１】
ホッピングテーブル１７は、周波数ホッピングをするホッピングパターンが格納されている。図６にホッピングテーブル１７に格納されたデータの一例を示す。
【００４２】
例えば、図６（ａ）に示すようにブルートゥースの規格に準拠した無線通信装置では、７９チャンネルを使用して周波数ホッピングを行う。そして、各チャンネルに対して、有効／無効を示すフラグを設けている。この図６（ａ）では、チャンネル４が、干渉ノイズの影響を受けて通信エラー等が発生したなどの理由により、ホッピングパターンから除外されている他は、周波数ホッピングをするチャンネルとして「１」が格納されたホッピングパターンとしている。
【００４３】
それに対して図６（ｂ）に示すように、高変調・広帯域高変調・広帯域のチャンネルを使用する独自モードで動作可能な無線通信装置では、１チャンネルのチャンネル間隔が、ＦＣＣで規定されている２０ｄＢ帯域幅を満足することができないため、１チャンネルおきとしたホッピングパターンとすることで、ＦＣＣの規格を満足するチャンネル間隔を確保している。
【００４４】
また、ホッピングテーブル１７は、識別情報に基づいて割り当てられるアクセスリクエストアドレスごとに設けられている。つまり通信相手となるスレーブ装置ごとに用意され、ホッピングテーブルＡからホッピングテーブルＧまで８台分用意している。
【００４５】
識別テーブル１８は、通信接続フェーズでスレーブ装置を識別するアドレスであるアクティブメンバアドレス（ＡＭ＿ＡＤＤＲ）と、識別情報である企業個別の識別子と、パークモードでスレーブ装置を識別するアドレスであるアクセスリクエストアドレスとが、それぞれ対応付けて格納されている。図７に識別テーブル１８に格納されたデータの一例を示す。
【００４６】
図７に示すように、ピコネット１においては、親機２にアクティブメンバアドレス１で子機３が接続され、アクティブメンバアドレス２でＰＤＡ４が接続され、アクティブメンバアドレス３でデジタルカメラ５が接続されているものとする。
【００４７】
識別情報であるブルートゥースアドレスに含まれるＵＡＰおよびＮＡＰから、高変調・広帯域のチャンネルで通信可能な装置か否かを示す「０」または「１」が格納されている。この場合、子機３は「０」であり高変調・広帯域のチャンネルで通信可能な装置である。ＰＤＡ４およびデジタルカメラ５は「１」でありブルートゥースに準拠したチャンネルで通信する装置であることを示す。この「０」または「１」としたことで、２種類のホッピングパターンを選択することを示している。
【００４８】
アクティブメンバアドレス１である子機３との通信においては、ホッピングテーブルＡに格納されたホッピングパターンとする。同様に、アクティブメンバアドレス２であるＰＤＡ４との通信においては、ホッピングテーブルＢに格納されたホッピングパターンとする。また、アクティブメンバアドレス３であるデジタルカメラ５との通信においては、ホッピングテーブルＣに格納されたホッピングパターンとする。
【００４９】
タイマ１９は、子機３、デジタルカメラ５、ＰＤＡ８などの他の無線通信装置と通信する際の各種の時間を測定し、予め設定された時間になると通信制御部１６へ割り込みを上げる。
【００５０】
以上のように構成される本発明の実施の形態に係る無線通信装置の一例であるコードレス電話機の親機の動作を、図３〜図５に基づいて説明する。
【００５１】
図３は、本発明の実施の形態に係る無線通信装置の通信接続フェーズでの動作を説明するシーケンス図である。図４は、本発明の実施の形態に係る無線通信装置のパークモードでの動作を説明する図である。図５は、本発明の実施の形態に係る無線通信装置のパークモードにおける通信制御部の動作を説明するフローチャートである。
【００５２】
なお、子機３は、親機２と同様な構成を有し、広帯域幅のチャンネルで周波数ホッピングする機能を有しているものとする。
【００５３】
まず、マスタ装置である親機２とスレーブ装置である子機３とが、通信接続フェーズにおいて通信する動作を説明する。
【００５４】
（親機２が相手識別子ＵＡＰおよびＮＡＰを格納）
マスタ装置である親機２の周辺にどのようなスレーブ装置が存在するか調べるため、親機２から問い合わせであるInquiryパケットが送信される（Ｓ１０）。
【００５５】
この問い合わせであるInquiryパケットを受信した子機３が、問い合わせの応答（Inquiry Response）としてＦＨＳパケットを親機２へ送信する。親機２の通信制御部１６は、受信パケット処理部１４からＦＨＳパケットのブルートゥースアドレス(識別情報)に含まれる企業個別の識別子であるＵＡＰ（Upper Address Part）およびＮＡＰ（Non-significant Address Part）を取り出し、識別テーブル１７へ格納する。この場合、図６に示すように、それぞれの企業を特定できる値を格納しても、ＵＡＰおよびＮＡＰの情報をそのまま格納してもよい（Ｓ２０）。
【００５６】
次に、子機３とピコネット内同期を図るためマスタ装置である親機２から呼び出し（Page）であるＩＤパケットをスレーブ装置である子機３へ送信する（Ｓ３０）。
【００５７】
呼び出しであるＩＤパケットを受信した子機３は、呼び出し応答（Page Response）としてＩＤパケットを送信し、この呼び出し応答を受信した親機２はＦＨＳパケットを子機３へ送信する（Ｓ４０）。
【００５８】
ＦＨＳパケットの応答を受信した親機２は、通信接続フェーズへ移行する。通信制御部１６は、スレーブ装置である子機３を識別するアドレスであるアクティブメンバアドレスを割り当てるとともに、識別テーブル１８へ識別情報に対応付けて格納する。このようにしてマスタ装置である親機２は、周辺にどのようなスレーブ装置が存在するか調べ、その結果を識別テーブル１８へ書き込む。
【００５９】
そして、識別情報である企業個別の識別子から、子機３が通信可能な変調度、または帯域幅のホッピングパターンをアクティブメンバアドレスに対応したホッピングテーブル１７を作成する。この場合、通信制御部１６は、ホッピングテーブルＡに、ホッピングパターンとして図６（ｂ）に示す内容を作成する。
【００６０】
また、通信制御部１６は、アクティブメンバアドレスをペイロードに含む通信データを通信パケット作成部１５へ通知する。そして通信パケット作成部１５は、この通信データをＦＨＳパケットとして、無線部１１を介して子機３へ送信する（Ｓ５０）。
【００６１】
このＦＨＳパケットを受信した子機３は、親機２と同様に、ＦＨＳパケットのブルートゥースアドレスに含まれる企業個別の識別子であるＵＡＰおよびＮＡＰを格納する。
【００６２】
次ぎに親機２は、上位層プロトコルへの接続を要求するための制御コマンド（LMP host
connection req）を子機３へ送信する。子機３が上位層プロトコルで接続可能である場合、子機３から制御内容の受け入れを肯定する制御コマンド（LMP accepted）を親機２へ送信する（Ｓ６０）。
【００６３】
親機２の通信制御部１６は子機３の識別情報に基づき、子機３が帯域幅の広いチャンネルで周波数ホッピングする独自モードで動作可能な無線通信装置であることが判ると、ブルートゥース規格とは異なる変調度または帯域幅としたホッピングパターンとするよう要求する制御コマンドを、子機３へ送信する（Ｓ７０）。
【００６４】
子機３は、Ｓ７０での制御コマンドにより要求された、高変調・広帯域のチャンネルでの新しいホッピングパターンとすることが可能であるので、これを肯定する応答を親機２へ送信する（Ｓ８０）。
【００６５】
以降、親機２は子機３と通信する場合には、識別テーブル１８を参照して、アクティブメンバアドレスに対応する高変調・広帯域のチャンネルでの新しいホッピングパターンとしたホッピングテーブルＡに基づいた周波数ホッピングするとともに、アクティブメンバアドレスに対応する子機３に応じた変調度、または帯域幅で通信する（Ｓ９０）。
【００６６】
次に、低消費電力のパークモードに切り替えて親機２と子機３が通信する場合の動作を図４および図５に基づいて説明する。通信接続フェーズからパークモードに切り替わるためには、マスタ装置である無線通信装置がスレーブ装置である無線通信装置に対してパークモードへの遷移を要求するパケット（LMP park reqパケット）を送信する。このLMP park reqパケットには、スレーブ装置を特定するためのアクセスリクエストアドレス（ＡＲ＿ＡＤＤＲ）が含まれている。
【００６７】
図４に示すように、ブルートゥースでは、スレーブ装置である無線通信装置が低消費電力モードであるパークモードへ遷移した状態では、マスタ装置からビーコンと呼ばれる同
報通信パケットの送信が開始される。図４では、ブルートゥースのマスタ装置からスレーブ装置へ最初の同報通信パケットが送信されるスロット時間をスロット時間Ｔ１とする。マスタ装置からはＴ２の時間間隔で周期的にビーコン（同報通信パケット）が送信される。
【００６８】
このビーコンスロットが開始されるスロット時間Ｔ１と、ビーコンの時間間隔であるＴ２は、マスタ装置がスレーブ装置に対して送信する前記LMP park reqパケットに含まれる制御データの時間情報により規定される。
【００６９】
ブルートゥースの規格のみに準拠した無線通信装置と、それとは異なる帯域幅とした独自モードで動作可能な無線通信装置が混在する状態において、送信側が一方的にビーコンの変調度を高くする（または帯域幅を広くする）と、ブルートゥース規格でしか使用することが出来ない無線通信装置ではこのビーコンを受信することができず、同報が取れなくなることがある。
【００７０】
そこで、パークモードへ遷移を要求する通知であるLMP park reqパケットに含まれるビーコンの送出開始スロットの情報を、識別情報に応じて、異なるスロットとしたビーコン開始スロットとする。つまり、ブルートゥースに準拠した無線通信装置には、ビーコン開始スロットをＴ１として通知し、帯域幅の広いチャンネルを使用する独自モードで動作可能な無線通信装置にはビーコン開始スロットをＴ５として通知する。そして、ビーコン開始スロットＴ５から送信されるビーコンの変調度を高くする、または帯域幅の広いチャンネルで送信する。このようにタイミングをずらすことにより、それぞれの変調度、または帯域幅に応じたビーコンの帯域幅とし、それぞれ可能な限り高変調・広帯域で通信し、干渉ノイズの影響を少なくすることができる。
【００７１】
これにより、それぞれ異なる変調度または異なる帯域幅を使用する無線通信装置が混在するなかであっても、マスタ装置である親機２からそれぞれ異なる変調度または異なる帯域幅としたビーコンを送信することができる。
【００７２】
また、パークモードへ遷移した状態では、スレーブ装置である無線通信装置には、マスタ装置に対してアクセス要求をするためのスロットであるアクセスウィンドウが与えられる。図４にアクセスウィンドウの例を示す。
【００７３】
アクセスウィンドウは、マスタ装置から同報通信パケットを送信するスロットがあり、次に、スレーブ装置からマスタ装置に対してパケット送信するスロットがある。
【００７４】
このアクセスウィンドウの開始時間位置は、マスタ装置がスレーブ装置に対して送信するパークモードへの遷移を要求するパケット（LMP park reqパケット）に含まれる制御データの時間情報で規定される。図４に示す例では、ビーコン開始スロットからアクセスウィンドウの開始までの相対時間をアクセスウィンドウ開始オフセットＴ３とする。
【００７５】
スレーブ装置からマスタ装置へ送信するスロットの割り当ては、前記LMP park reqパケットに含まれるスレーブ装置を特定するためのアクセスリクエストアドレス（ＡＲ＿ＡＤＤＲ）の順序に従って割り当てられる。
【００７６】
前述のように図１に示す例では、親機２がマスタ装置であり、子機３やデジタルカメラ５はスレーブ装置として接続している。子機３は変調度を高く、または帯域幅の広いチャンネルを使用する独自モードで動作可能な無線通信装置である。またデジタルカメラ５は、ブルートゥースに準拠した変調度・帯域幅を使用する無線通信装置とし、ブルートゥースの規格の範囲内でのみ動作可能とする。
【００７７】
図４に示すように、マスタ装置である親機２がブルートゥースに準拠した無線通信装置であるデジタルカメラ５へ、パークモードへ遷移を要求する通知であるLMP park reqパケットを送信し、このLMP park reqパケットによってビーコン開始スロットをＴ１、アクセスウィンドウ開始オフセットをＴ３と設定し、アクセスリクエストアドレスの１〜８のいずれかを通知する。
【００７８】
またマスタ装置である親機２は、独自モードで動作可能な無線通信装置である子機３へパークモードへ遷移を要求する通知であるLMP park reqパケットを送信した場合は、このLMP park reqパケットによってビーコン開始スロットをＴ５、アクセスウィンドウ開始オフセットをＴ６と設定し、アクセスリクエストアドレスを９〜１６のいずれかを通知する。
【００７９】
このようにしてアクセスリクエストアドレスを識別情報に応じて割り当てることで、ブルートゥースで通信する無線通信装置や独自モードで動作可能な無線通信装置が混在していても、アクセスウィンドウにおいて、それぞれ異なる変調度、または異なる帯域幅としたチャンネルで通信をすることができる。
【００８０】
次に、本発明の実施の形態に係る無線通信装置のパークモードにおける通信制御部の動作を図４および図５に基づいて説明する。ここで、デジタルカメラ５はブルートゥースに準拠した無線通信装置であり、子機３は帯域幅に広いチャンネルを使用する独自モードで動作可能な無線通信装置であるものとする。
【００８１】
まず、マスタ装置である親機２の通信制御部１６は、タイマ１９に、ビーコン列間隔の時間Ｔ２と、アクセスウィンドウ開始オフセットの時間Ｔ３と、ビーコン周期の時間Ｔ４とを設定するとともに、ビーコン開始スロットＴ１においてブルートゥースの規格に準拠した帯域幅のチャンネルでビーコンを送信する。そして、タイマ１９からの割り込み待ちをする。そしてブルートゥースに準拠したデジタルカメラ５へ、LMP park reqパケットによりビーコン開始スロットをＴ１、アクセスウィンドウ開始オフセットをＴ３とし、アクセスリクエストアドレスを１〜８のいずれかを通知している。
【００８２】
独自モードで動作可能な無線通信装置である子機３へは、LMP park reqパケットによりビーコン開始スロットをＴ５、アクセスウィンドウ開始オフセットをＴ６とし、アクセスリクエストアドレスの９〜１６のいずれかを通知している。
【００８３】
マスタ装置である親機２は、タイマ１９からのビーコン列間隔の時間Ｔ４毎に割り込みが発生したか否かを判定する。これは、次のビーコンを送信するスロットか否かの判定である（Ｓ１００）。Ｓ１００にてタイマ１９からの割り込みが発生している場合は、Ｓ１１０へ移行する。発生していない場合は、Ｓ１４０へ移行する。
【００８４】
ビーコン列間隔である時間Ｔ４の割り込みが発生すると、ブルートゥースに準拠した変調度・帯域幅のチャンネルで送信するスロットであるか否かを判定する（Ｓ１１０）。
【００８５】
Ｓ１１０で、ブルートゥースに準拠した変調度・帯域幅のチャンネルで送信するスロットで、かつビーコンスロットである場合には、ブルートゥースに準拠した変調度・帯域幅のチャンネルでビーコンをデジタルカメラ５などへ送信する（Ｓ１２０）。
【００８６】
Ｓ１１０で、ブルートゥースに準拠した変調度・帯域幅のチャンネルで送信するスロットではなく、かつビーコンスロットである場合には、独自モードに対応した高変調・広帯域のチャンネルで、子機３などへビーコンを送信する（Ｓ１３０）。
【００８７】
Ｓ１００にて、ビーコン列間隔の時間Ｔ４の割り込みが発生していない場合はＳ１４０へ移行し、次にアクセスウィンドウ開始オフセットの時間Ｔ２の割り込みが発生したか否かの判定をする。これはアクセスウィンドウのスロットが開始されるか否かの判定である（Ｓ１４０）。
【００８８】
アクセスウィンドウ開始オフセットの時間Ｔ２の割り込みが発生した場合には、Ｓ１１０へ移行する。この場合、Ｓ１１０でブルートゥースに準拠した変調度・帯域幅のチャンネルで送信するスロットか否かを判定する。ここで、アクセスウィンドウのアクセスリクエストアドレスが１〜８に割り当てられたデジタルカメラ５などが使用するスロットであればＳ１２０へ移行し、アクセスリクエストアドレスが９〜１６に割り当てられた子機３などが使用するスロットであればＳ１３０へ移行する。
【００８９】
そして、Ｓ１２０またはＳ１３０にて、その無線通信装置に対応した変調度・帯域幅のチャンネルでパケットの送信をする。
【００９０】
なお子機３へは予めアクセスウィンドウ開始オフセットの時間としてＴ６を通知しているが、ビーコン開始スロットＴ１からアクセスウィンドウ開始オフセットの時間Ｔ３までの時間と同じになるため、タイマ１９への設定は、Ｔ３のみとすることができる。
【００９１】
Ｓ１４０にて、アクセスウィンドウ開始オフセットの時間Ｔ２の割り込みが発生していない場合、Ｓ１５０へ移行してビーコン周期Ｔ３の時間の割り込みが発生したか否かの判定をする。これは、アクセスウィンドウが終わって次のビーコンスロットの開始を判定するためである（Ｓ１５０）。
【００９２】
Ｓ１５０にて、ビーコン周期Ｔ３の時間の割り込みが発生した場合は、ビーコンスロットの開始であるので、Ｓ１００からＳ１１０へ移行した判定と同じ処理を行う。
【００９３】
Ｓ１５０にて、ビーコン周期Ｔ３の時間の割り込みが発生していない場合は、Ｓ１００へ戻り、パークモードが終わるまで継続される。
【産業上の利用可能性】
【００９４】
本発明に係る無線通信装置は、高品質で通信を行うことが必要な、周波数ホッピング型のスペクトル拡散方式の無線ネットワークに好適である。
【図面の簡単な説明】
【００９５】
【図１】本発明の実施の形態に係る無線通信装置の一例であるコードレス電話機の親機と他の無線通信装置から成る無線ネットワークを示す図
【図２】本発明の実施の形態に係る無線通信装置の一例であるコードレス電話機の親機の構成図
【図３】本発明の実施の形態に係る無線通信装置の通信接続フェーズでの動作を説明するシーケンス図
【図４】本発明の実施の形態に係る無線通信装置のパークモードでの動作を説明する図
【図５】本発明の実施の形態に係る無線通信装置のパークモードにおける通信制御部の動作を説明するフローチャート
【図６】ホッピングテーブルに格納されたデータの一例であり、（ａ）ブルートゥースの規格に準拠した無線通信装置のホッピングパターンを示す図、（ｂ）高変調・広帯域のチャンネルを使用することが可能な無線通信装置のホッピングパターンを示す図
【図７】識別テーブルに格納されたデータの一例を示す図
【符号の説明】
【００９６】
１    ピコネット
２    親機
３    子機
４    ＰＤＡ
５    デジタルカメラ
６    一般公衆網
１０    アンテナ
１１    無線部
１２    同期相関器
１３    受信パケット解析部
１４    受信パケット処理部
１５    通信パケット作成部
１６    通信制御部
１７    ホッピングテーブル
１８    識別テーブル
１９    タイマ
【図１】
2005303765.tif 000003
【図２】
2005303765.tif 000004
【図３】
2005303765.tif 000005
【図４】
2005303765.tif 000006
【図５】
2005303765.tif 000007
【図６】
2005303765.tif 000008
【図７】
2005303765.tif 000009